(57)【特許請求の範囲】
【請求項１】
前面基板の背面側に、行方向に延び列方向に並設されてそれぞれ表示ラインを形成する複数の行電極対が設けられるとともに、背面基板の前面基板と放電空間を介して対向する側に、列方向に延び行方向に並設されて行電極対と交差する位置においてそれぞれ放電空間に放電セルを構成する複数の列電極が設けられ、放電セル内に蛍光体層が形成されているプラズマディスプレイパネルにおいて、
前記前面基板と背面基板との間に配置されて列方向に延びる縦壁部と行方向に延びる横壁部によって放電空間を放電セル毎に行方向と列方向に区画する隔壁を備え、
この隔壁の横壁部が、表示ラインの間の位置に設けられて表示ラインに沿って延びる隙間によって列方向に分離され、
この隔壁が透光性を有する素材によって形成されている、
ことを特徴とするプラズマディスプレイパネル。
【請求項２】
前記隙間によって分離された隔壁の横壁部の幅が、隔壁の列方向に延びる縦壁部の幅とほぼ同一になっている請求項１に記載のプラズマディスプレイパネル。
【請求項３】
前記透光性を有する素材がガラス材料である請求項１に記載のプラズマディスプレイパネル。
【請求項４】
前記隔壁が、前記透光性を有する素材によって形成された透光層の前面基板に対向する側に、光を吸収する光吸収層を備えている請求項１に記載のプラズマディスプレイパネル。
【請求項５】
前記前面基板の背面側に前記行電極対を被覆するように形成されている誘電体層の前記横壁部に対向する部分に、横壁部側に張り出して横壁部との間を閉じる嵩上げ部が形成され、この嵩上げ部と前記隔壁の縦壁部との間に隙間が形成されている請求項１に記載のプラズマディスプレイパネル。
【請求項６】
前記隔壁の縦壁部と横壁部の側面及び列電極が設けられた背面側の基板の内面に前記蛍光体層が形成されている請求項１に記載のプラズマディスプレイパネル。
【請求項７】
二つの表示ラインにおいて隣り合う前記行電極のバス電極の間の部分に光吸収層が形成されている請求項１に記載のプラズマディスプレイパネル。
【請求項８】
前記行電極対を構成する各々の行電極は、放電セル毎に放電ギャップを介して対向する透明電極と、この放電ギャップとは反対側の縁部で透明電極と接続されたバス電極とで構成され、透明電極は放電セル毎に独立した島状に形成されている請求項１に記載のプラズマディスプレイパネル。
【発明の詳細な説明】
【０００１】
【発明の属する技術分野】
この発明は、面放電方式交流型のプラズマディスプレイパネルに関し、特に、このプラズマディスプレイパネルの放電セルを区画する隔壁の構成に関する。
【０００２】
【発明が解決しようとする課題】
近年、大型で且つ薄型のカラー画面表示装置として面放電方式交流型プラズマディスプレイパネル（以下、ＰＤＰという）が注目を集めており、その普及が図られて来ている。
【０００３】
図１２は、従来の交流型ＰＤＰの横成を、前面ガラス基板１側と背面ガラス基板４側とを分離した状態で示す斜視図である。
【０００４】
この図１２において、前面ガラス基板１の背面側には、複数の行電極対（Ｘ’，Ｙ’）が配列されて透明な誘電体層２により被覆されており、さらに、この誘電体層２の背面にＭｇＯからなる透明な保護層３が形成されている。
【０００５】
各行電極Ｘ’とＹ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されていて、この行電極Ｘ’とＹ’の互いに対向する部分に等間隔に形成されたそれぞれの突起部Ｘａ”とＹａ”が放電ギャップｇ’を挟んで互いに対向するように、列方向に交互に配置されている。
【０００６】
この各行電極対（Ｘ’，Ｙ’）によって、マトリクス表示の一表示ライン（行）Ｌが構成される。
【０００７】
背面ガラス基板４の表示面側には、行電極対（Ｘ’，Ｙ’）と直交する方向に延びるように複数の列電極Ｄ’が配列され、この列電極Ｄ’間にそれぞれ平行に延びるように帯状の隔壁５が形成されており、さらに、この隔壁５の側面と列電極Ｄ’を被覆するようにそれぞれ赤（Ｒ）,緑（Ｇ）,青（Ｂ）の三原色に色分けされた蛍光体層６Ｒ,６Ｇ,６Ｂが列方向に順に形成されている。
【０００８】
そして、上記のように構成された前面ガラス基板１と背面ガラス基板４は、放電空間を介して互いに平行に対向され、この前面ガラス基板１と背面ガラス基板４との間に、ネオンとキセノン等を混合した放電ガスが封入される。
【０００９】
このようにして、各表示ラインＬにおいて、列電極Ｄ’が行電極対（Ｘ’，Ｙ’）と交差する部分の放電空間が隔壁５によって区画されることにより、後述するような単位発光領域となる放電セルがそれぞれ形成される。
【００１０】
上記の交流型ＰＤＰにおける画像の形成は、以下のようにして行われる。
【００１１】
すなわち、先ず、アドレス操作により、それぞれ蛍光体層６Ｒ,６Ｇ,６Ｂが形成された各放電セルにおいて、行電極対（Ｘ’，Ｙ’）と列電極Ｄ’との間で選択的に放電が行われ、点灯セル（誘電体層２に壁電荷が形成された放電セル）と消灯セル（誘電体層２に壁電荷が形成されなかった放電セル）とが、表示する画像に対応してパネル上に分布される。
【００１２】
このアドレス操作の後、全表示ラインＬにおいて一斉に、行電極対（Ｘ’，Ｙ’）に対して交互に放電維持パルスが印加され、この放電維持パルスが印加される毎に、点灯セル内において面放電が発生される。
【００１３】
このようにして、各点灯セルにおける面放電によって紫外線が発生して、その点灯セル内に形成されている蛍光体層６Ｒまたは６Ｇ,６Ｂがそれぞれ励起されて発光することにより、表示する画像が形成される。
【００１４】
上記のような交流型ＰＤＰは、ディスプレイを非常に薄くすることが出来るとともに高画質のカラー画面表示を行うことが出来るという優れた特性を備えているものである。
【００１５】
ここで、上記のような交流型ＰＤＰにおいては、面放電が行われる際に蛍光体層６Ｒ,６Ｇ,６Ｂから発せられる光の全てが前面ガラス基板１の表示面側に届いて画像の形成に寄与する訳ではなく、隔壁５に吸収されたり、背面ガラス基板４側に漏れたりするので、その分、前面ガラス基板１の表示面に形成される画像の輝度が低下してしまうという問題を有している。
【００１６】
このため、交流型ＰＤＰについては、その発光効率を向上させることが望まれており、これまで、隔壁による光の吸収や背面ガラス基板からの漏れによる発光の損失を低減するために、隔壁を白色の素材によって形成したり、背面ガラス基板に白色層を設けたりして隔壁や背面ガラス基板から前面ガラス基板側に光を反射する等の構造を有するＰＤＰの提案が為されている。
【００１７】
しかしながら、上記のような構造の採用によっても、発光効率の向上を十分に達成することができていない。
【００１８】
この発明は、上記のような従来の交流型プラズマディスプレイパネルの有している問題点を解決するために為されたものである。
【００１９】
すなわち、この発明は、十分な発光効率を得ることが出来る交流型プラズマディスプレイパネルを提供することを目的とする。
【００２０】
【課題を解決するための手段】
第１の発明によるプラズマディスプレイパネルは、上記目的を達成するために、前面基板の背面側に、行方向に延び列方向に並設されてそれぞれ表示ラインを形成する複数の行電極対が設けられるとともに、背面基板の前面基板と放電空間を介して対向する側に、列方向に延び行方向に並設されて行電極対と交差する位置においてそれぞれ放電空間に放電セルを構成する複数の列電極が設けられ、放電セル内に蛍光体層が形成されているプラズマディスプレイパネルにおいて、前記前面基板と背面基板との間に配置されて列方向に延びる縦壁部と行方向に延びる横壁部によって放電空間を放電セル毎に行方向と列方向に区画する隔壁を備え、この隔壁の横壁部が、表示ラインの間の位置に設けられて表示ラインに沿って延びる隙間によって列方向に分離され、この隔壁が透光性を有する素材によって形成されていることを特徴としている。
【００２１】
この第１の発明によるプラズマディスプレイパネルは、前面基板と背面基板との間の放電空間が、隔壁によって放電セル毎に区画される。
【００２２】
そして、この隔壁が透光性を有する素材によって形成されていて、放電によって蛍光体層から発せられて隔壁側に向かう光が隔壁を通過するようになっている。
【００２３】
したがって、この第１の発明によれば、放電セル内において発光される光のうち隔壁方向に向かう光が、隔壁の内部に広がった後、この隔壁から前面基板の表示面側に広がってゆくことによって、見かけ上の開口率が上昇し、これによって、形成される画像の輝度が上昇して、十分な発光効率を得ることが出来るようになる。
【００２４】
さらに、隣接する放電セル間において発光する光が隔壁内において混合するために、隔壁の存在が目立ち難くなり、これによって、表示画像の品質が向上する。
そして、隔壁の横壁部が表示ライン間に設けられた隙間によって列方向に分離されていることにより、前面基板や背面基板の反りおよび隔壁の破損などによる放電セル形状の変形が生じる虞がない。
【００２５】
第２の発明によるプラズマディスプレイパネルは、前記目的を達成するために、第１の発明の構成に加えて、前記隙間によって分離された隔壁の横壁部の幅が、隔壁の列方向に延びる縦壁部の幅とほぼ同一になっていることを特徴としている。
【００２６】
この第２の発明によるプラズマディスプレイパネルは、隔壁の隙間によって分離された横壁部の幅が縦壁部の幅とほぼ同一になるように設定されていることによって、隔壁の焼成時の収縮にばらつきが少なくなって、前面ガラス基板や背面ガラス基板の反りおよび隔壁の破損などによる放電セル形状の変形が生じる虞がなくなる。
【００２９】
第３の発明によるプラズマディスプレイパネルは、前記目的を達成するために、第１の発明の構成に加えて、前記透光性を有する素材がガラス材料であることを特徴としている。
【００３０】
この第３の発明によるプラズマディスプレイパネルによれば、放電セルを区画する隔壁が透光性を有するガラス材料により形成されていることによって、放電によって蛍光体層から発せられて隔壁側に向かう光が隔壁を通過するようになっており、これによって、表示面に形成される画像の輝度が上昇して、十分な発光効率を得ることが出来るようになる。
【００３１】
第４の発明によるプラズマディスプレイパネルは、前記目的を達成するために、第１の発明の構成に加えて、前記隔壁が、前記透光性を有する素材によって形成された透光層の前面基板に対向する側に、光を吸収する光吸収層を備えていることを特徴としている。
【００３２】
この第４の発明によるプラズマディスプレイパネルによれば、隔壁の透光性を有する素材によって形成された透光層の前面基板に対向する側に、黒色や暗褐色等の光を吸収する暗色に色付けされた光吸収層が形成されていることにより、前面基板を通して入射してくる外光が隔壁に形成された光吸収層によって吸収されて反射が防止されるので、表示画面のコントラストを向上させることができる。
【００３３】
第５の発明によるプラズマディスプレイパネルは、前記前面基板の背面側に前記行電極対を被覆するように形成されている誘電体層の前記横壁部に対向する部分に、横壁部側に張り出して横壁部との間を閉じる嵩上げ部が形成され、この嵩上げ部と前記隔壁の縦壁部との間に隙間が形成されていることを特徴としている。
【００３４】
この第５の発明によれば、列方向において隣接する放電セル間において放電の干渉が生じて誤放電が発生するのを防止することが出来、これによって、画面の高精細化を図ることが可能になる。
【００３５】
第６の発明によるプラズマディスプレイパネルは、前記隔壁の縦壁部と横壁部の側面及び列電極が設けられた背面側の基板の内面に蛍光体層が形成されていることを特徴としている。
【００３６】
この第６の発明によれば、蛍光体層が、放電セルに面する五面に形成されていることにより、蛍光体層の表面積すなわち発光面積が従来のプラズマディスプレイパネルと比較して拡大され、これによって、放電セル一つ当たりの輝度がそれぞれ増大して、従来のものと比較した場合に表示画面の輝度を向上させることが出来る一方、画面の精細度を上げるために各放電セルのサイズを小さくしても、表示画面の輝度が従来のものと比べて低下してしまうことがない。
【００３７】
第７の発明によるプラズマディスプレイパネルは、二つの表示ラインにおいて隣り合う前記行電極のバス電極の間の部分に光吸収層が形成されていることを特徴としている。
【００３８】
この第７の発明によれば、前面基板を通して入射してくる外光が行電極のバス電極の間の部分に形成された光吸収層によって吸収されることにより、反射が防止されるので、表示画面のコントラストを向上させることができる。
【００３９】
第８の発明によるプラズマディスプレイパネルは、前記行電極対を構成する各々の行電極は、放電セル毎に放電ギャップを介して対向する透明電極と、この放電ギャップとは反対側の縁部で透明電極と接続されたバス電極とで構成され、透明電極は放電セル毎に独立した島状に形成されていることを特徴としている。
【００４０】
この第８の発明によれば、行電極対を構成するそれぞれの透明電極が放電セル毎に島状に独立するように構成されているために、画面の精細度を上げるために各放電セルのサイズを小さくしても、行方向において隣接する放電セルヘの放電の干渉が生じる虞は無い。
【００４１】
【発明の実施の形態】
以下、この発明の最も好適と思われる実施の形態について、図面を参照しながら詳細に説明を行う。
【００４２】
図１ないし５は、この発明によるプラズマディスプレイパネル（以下、ＰＤＰという）の実施形態の第１の例を示すものであって、図１はこの第１の例におけるＰＤＰを模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【００４３】
この図１ないし５に示されるＰＤＰは、表示面である前面ガラス基板１０の背面に、複数の行電極対（Ｘ，Ｙ）が、前面ガラス基板１０の行方向（図１の左右方向）に延びるように平行に配列されている。
【００４４】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００４５】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００４６】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００４７】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００４８】
前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）３０が形成されており、さらに、後述する隔壁１５の縦壁１５ａに対向する部分に、光吸収層（遮光層）３１が形成されている。
【００４９】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００５０】
そして、この誘電体層１１と嵩上げ誘電体層１１Ａの背面側には、ＭｇＯからなる保護層１２が形成されている。
【００５１】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００５２】
背面ガラス基板１３の表示側の面上には、さらに、列電極Ｄを被覆する白色の誘電体層１４が形成され、この誘電体層１４上に、隔壁１５が形成されている。
【００５３】
隔壁１５は、互いに平行に配列された各列電極Ｄの間の位置において列方向に延びる縦壁１５ａと、嵩上げ誘電体層１１Ａに対向する位置において行方向に延びる横壁１５ｂとによって梯子状に形成されている。
【００５４】
この梯子状の隔壁１５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電セルＣが形成されている。
【００５５】
隔壁１５の縦壁１５ａの表示側の面は保護層１２に当接されておらず（図４参照）、その間に隙間ｒが形成されているが、横壁１５ｂの表示側の面が、保護層１２の嵩上げ誘電体層１１Ａを被覆している部分に当接されていて（図２および５参照）、列方向において隣接する放電セルＣとの間がそれぞれ遮蔽されている。
【００５６】
この放電セルＣに面する隔壁１５の縦壁１５ａおよび横壁１５ｂの側面と誘電体層１４の表面には、これらの五つの面を全て覆うように蛍光体層１６が、それぞれ順に形成されている。
【００５７】
この蛍光体層１６の色は、各放電セルＣ毎に赤緑青の色が行方向に順に並ぶように設定される（図４参照）。
【００５８】
そして、各放電セルＣ内には、希ガスが封入されている。
【００５９】
この放電セルＣを区画する隔壁１５の横壁１５ｂは、表示ライン間の光吸収層３０と重なる位置に設けられた隙間ＳＬによって列方向に分離されている。
【００６０】
すなわち、隔壁１５は、表示ライン（行）Ｌ方向に沿って梯子状に形成され、列方向において表示ラインＬに沿って延びる隙間ＳＬを介して互いに平行になるように配置されている。
【００６１】
この表示ラインＬ間に設けられた隙間ＳＬによって分割された横壁１５ｂの各部分１５ｂ’の幅は、それぞれ縦壁１５ａの幅と略同一になるように隙間ＳＬの幅が設定されている。
【００６２】
図６は、この隔壁１５の形状と配置の一例を示すものである。
【００６３】
この図６において隔壁１５は、それぞれ、梯子状に形成された縦壁１５ａと横壁１５ｂによって、放電セルＣが一列に並ぶように放電空間を区画している。
【００６４】
そして、各隔壁１５が表示ラインＬに沿って互いに平行に延びるように、かつ、互いに隣接する隔壁１５の横壁１５ｂが隙間ＳＬを挟んで対向するように列方向に配置されている。
【００６５】
この隔壁１５の右端および左端に位置する放電セルＣ’は、それぞれダミーセルとなっており、このダミーセルＣ’を区画している隔壁１５の外側の角部に、それぞれ面取り１５ｃが施されている。
【００６６】
この面取り１５ｃは、隔壁１５の角部の盛り上がりを防止するためのものであり、図に示されるように直線状でも良いが、曲線状に施しても良い。
【００６７】
すなわち、隔壁１５の角部に盛り上がりが生じると、前面基板と背面基板を重ね合せたとき、前面基板が盛り上がり部（すなわち、基板の周辺部）にのみ接触してその他の部分（中央部分）が浮いた状態になるため、プラズマディスプレイパネルの駆動時に基板に振動が生じて振動音が発生するが、隔壁１５の角部に施された面取り１５ｃによって盛り上がりが防止されることにより、基板と隔壁１５とが一様に接することになり、上記のような振動の発生が防止される。
【００６８】
この隔壁１５は、顔料などが混入されていない透光性を有するガラス材料によって形成された透明な透光層による一層構造になっている。
【００６９】
上記のＰＤＰは、行電極対（Ｘ，Ｙ）がそれぞれマトリクス表示画面の１表示ライン（行）Ｌを構成し、また、梯子状の隔壁１５によって区画された放電空間Ｓが、それぞれ一つの放電セルＣを画定している。
【００７０】
このＰＤＰにおける画像表示は、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セルＣ）と消灯セル（誘電体層１１に壁電荷が形成されなかった放電セルＣ）とが、表示する画像に対応して、パネル上に分布される。
【００７１】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００７２】
以上のようにして、点灯セルにおける面放電により紫外線が発生され、各放電セルＣ内の赤緑青の各色の蛍光体層１６がそれぞれ励起されて発光することにより、表示画面が形成される。
【００７３】
上記ＰＤＰは、放電セルＣを区画する隔壁１５の横壁１５ｂを表示ラインＬ間に設けられた隙間ＳＬによって列方向に分離し、この分離された各部分１５ｂ’の幅を、それぞれ縦壁１５ａの幅と略同一になるように設定することによって、隔壁１５の焼成時の収縮にばらつきが少なくなり、これによって、前面ガラス基板１０や背面ガラス基板１３の反りおよび隔壁１５の破損などによる放電セル形状の変形が生じる虞がない。
【００７４】
さらに、上記ＰＤＰは、前面ガラス基板１０の背面の放電セルＣに対向する部分以外の部分が、光吸収層３０，３１および二層構造に形成されたバス電極Ｘｂ，Ｙｂの黒色導電層Ｘｂ’，Ｙｂ’によってカバーされていることにより、前面ガラス基板１０を通して入射してくる外光が反射されるのを防止して、表示画面のコントラストを向上させることができる。
【００７５】
そして、上記ＰＤＰは、隔壁１５が、顔料などが混入されていない透光性のガラス材料によって形成された透明な透光層による一層構造になっていることにより、放電セルＣ内において発光される光のうち隔壁１５方向に向かう光が、隔壁１５の内部に広がった後、この隔壁１５から前面ガラス基板１０の表示面側に広がってゆくことによって、見かけ上の開口率が上昇し、これによって、形成される画像の輝度が上昇する。
【００７６】
さらに、隣接する放電セルＣ間において発光される光が隔壁１５内において混合するために、隔壁の存在が目立ち難くなり、これによって、表示画像の品質が向上する。
【００７７】
次に、この発明の実施形態における第２の例を、図７ないし１１に基づいて説明する。
【００７８】
図７はこの第２の例のＰＤＰを模式的に表す平面図であり、図８は図７のＶ３−Ｖ３線における断面図、図９は図７のＶ４−Ｖ４線における断面図、図１０は図７のＷ３−Ｗ３線における断面図、図１１は図７のＷ４−Ｗ４線における断面図である。
【００７９】
このＰＤＰは、図７ないし１１において、表示面である前面ガラス基板１０の背面に、複数の行電極対（Ｘ，Ｙ）が、前面ガラス基板１０の行方向（図７の左右方向）に延びるように平行に配列されている。
【００８０】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００８１】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００８２】
この行電極ＸとＹは、前面ガラス基板１０の列方向（図７の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００８３】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００８４】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００８５】
そして、この誘電体層１１と嵩上げ誘電体層１１Ａの背面側には、ＭｇＯからなる保護層１２が形成されている。
【００８６】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００８７】
背面ガラス基板１３の表示側の面上には、さらに、列電極Ｄを被覆する白色の誘電体層１４が形成されている。
【００８８】
以上の構成については、前述した第１の例のＰＤＰと同様であり、同様の符号が付されている。
この誘電体層１４上には、隔壁２５が形成されている。
【００８９】
この隔壁２５は、互いに平行に配列された各列電極Ｄの間の位置において列方向に延びる縦壁２５ａと、嵩上げ誘電体層１１Ａに対向する位置において行方向に延びる横壁１５ｂとによって井桁状に形成されている。
【００９０】
そして、この井桁状の隔壁２５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電セルＣが形成されている。
【００９１】
この隔壁２５は、その表示面側に形成されたが黒色層（光吸収層）２５’と、背面側の透光性を有するガラス材料によって形成された透明な透光層２５”とによって二層構造となるように形成されている。
【００９２】
隔壁２５の縦壁２５ａの表示側の面は保護層１２に当接されておらず（図１０参照）、その間に隙間ｒが形成されているが、横壁２５ｂの表示側の面が、保護層１２の嵩上げ誘電体層１１Ａを被覆している部分に当接されていて（図８および９参照）、列方向において隣接する放電セルＣとの間がそれぞれ遮蔽されている。
【００９３】
放電セルＣに面する隔壁２５の縦壁２５ａおよび横壁２５ｂの側面と誘電体層１４の表面には、これらの五つの面を全て覆うように蛍光体層１６が、それぞれ順に形成されている。
【００９４】
この蛍光体層１６の色は、各放電セルＣ毎に赤緑青の色が行方向に順に並ぶように設定される。
そして、放電セルＣ内には、希ガスが封入されている。
【００９５】
このＰＤＰは、行電極対（Ｘ，Ｙ）がそれぞれマトリクス表示画面の１表示ライン（行）Ｌを構成し、また、井桁状の隔壁２５によって前面ガラス基板１０と背面ガラス基板１３の間の空間が区画されて、各放電セルＣが形成されている。
【００９６】
このＰＤＰにおける画像表示は、第１の例のＰＤＰと同様に、先ず、アドレス操作による行電極対（Ｘ，Ｙ）と列電極Ｄとの間の選択的な放電によって、全表示ラインＬに点灯セルと消灯セルとが、表示する画像に対応してパネル上に分布され、この後、全表示ラインＬにおいて一斉に、行電極対（Ｘ，Ｙ）に対して交互に放電維持パルスが印加されて、各点灯セルにおいて面放電が発生される。
【００９７】
そして、この点灯セルにおける面放電により紫外線が発生され、放電セルＣ内の赤緑青の各色の蛍光体層１６がそれぞれ励起されて発光することにより、表示画面が形成される。
【００９８】
上記ＰＤＰは、バス電極Ｘｂ，Ｙｂの表示面側にそれぞれ黒色導電層Ｘｂ’，Ｙｂ’が設けられているとともに隔壁２５の表示側の面に黒色層２５’が形成されていることにより、前面ガラス基板１０を通して入射してくる外光が反射されるのを防止して、表示画面のコントラストを向上させることが出来る。
【００９９】
そしてさらに、上記ＰＤＰは、隔壁２５が、顔料などが混入されていない透光性のガラス材料によって形成された透明な透光層による一層構造になっていることにより、放電セルＣ内において発光される光のうち隔壁２５方向に向かう光が、隔壁２５の内部に広がった後、この隔壁２５から前面ガラス基板１０の表示面側に広がってゆくことによって、見かけ上の開口率が上昇し、これによって、形成される画像の輝度が上昇する。
【０１００】
さらに、隣接する放電セルＣ間において発光する光が隔壁２５内において混合するために、隔壁の存在が目立ち難くなり、これによって、表示画像の品質が向上する。
【０１０１】
なお、上記各例においては、行電極対（Ｘ，Ｙ）を各表示ライン毎に独立して配置した例を示したが、行電極ＸとＹの配置を、各表示ライン毎に交互に逆にして、隣接する表示ライン間で一方の行電極のバス電極を共用するようにしても良いし、また、両方の行電極のバス電極を共用するようにしても良い。
【図面の簡単な説明】
【図１】この発明の第１の例を模式的に表す平面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】同例における隔壁の形状と配置の一例を示す平面図である。
【図７】この発明の第２の例を模式的に表す平面図である。
【図８】図７のＶ３−Ｖ３線における断面図である。
【図９】図７のＶ４−Ｖ４線における断面図である。
【図１０】図７のＷ３−Ｗ３線における断面図である。
【図１１】図７のＷ４−Ｗ４線における断面図である。
【図１２】従来のＰＤＰの構成を模式的に表す斜視図である。
【符号の説明】
１０      …前面ガラス基板（前面基板）
１１      …誘電体層
１１Ａ    …嵩上げ誘電体層（嵩上げ部）
１２      …保護層
１３      …背面ガラス基板（背面基板）
１４      …誘電体層
１５，２５…隔壁
１５ａ，２５ａ…縦壁（縦壁部）
１５ｂ，２５ｂ…横壁（横壁部）
１５ｂ’…分割部分
１５ｃ  …面取り
１６    …蛍光体層
２５’  …黒色層（光吸収層）
２５”  …透光層
３０    …光吸収層
３１    …光吸収層
Ｘ      …行電極
Ｙ      …行電極
Ｘａ    …透明電極
Ｙａ    …透明電極
Ｘｂ    …バス電極
Ｙｂ    …バス電極
Ｘｂ’，Ｙｂ’…黒色層（光吸収層）
Ｘｂ”，Ｙｂ”…白色層（光反射層）
Ｄ      …列電極
ＳＬ    …隙間
Ｃ      …放電セル
Ｃ’    …ダミーセル
Ｌ      …表示ライン
ｇ      …ギャップ
ｒ      …隙間
【図１】
0003701823.tif 000002
【図２】
0003701823.tif 000003
【図３】
0003701823.tif 000004
【図４】
0003701823.tif 000005
【図５】
0003701823.tif 000006
【図６】
0003701823.tif 000007
【図７】
0003701823.tif 000008
【図８】
0003701823.tif 000009
【図９】
0003701823.tif 000010
【図１０】
0003701823.tif 000011
【図１１】
0003701823.tif 000012
【図１２】
0003701823.tif 000013